(57)【要約】【課題】街路灯や道路灯として要求される様々な配光特性を実現する照明器具を提供する。【解決手段】光源４１と、光源４１が取付けられる光源取付板４２と、光源取付板４２が取り付けられる光源固定部材４３とを備えた光源ユニット４０と、光源ユニット４０が着脱可能に収容される光源収容部１２が設けられた器具本体部１０と、を有し、光源取付板４２は所定の軸方向へ傾斜する傾斜面部が設けられ、また光源固定部材は所定の軸方向とは異なる軸方向へ傾斜する取付面部が設けられる。【選択図】図１
2019067496.tif 000002
【特許請求の範囲】
【請求項１】
光源と、前記光源が取付けられる光源取付板と、前記光源取付板が取り付けられる光源固定部材とを備えた光源ユニットと、
前記光源ユニットが着脱可能に収容される光源収容部が設けられた器具本体部と、
を有し、
前記光源取付板は所定の軸方向へ傾斜する傾斜面部が設けられ、また前記光源固定部材は前記所定の軸方向と異なる軸方向へ傾斜する取付面部が設けられることを特徴とする照明器具。
【請求項２】
前記光源固定部材が、異なる段差寸法で形成された段差部を有することを特徴とする請求項１に記載の照明器具。
【請求項３】
前記光源取付板が、異なる傾斜角度で形成された、少なくも２以上の前記傾斜面部を有することを特徴とする請求項１、又は２に記載の照明器具。
【請求項４】
光源と、前記光源が取付けられる光源取付板と、前記光源取付板が取り付けられる光源固定部材とを備えた光源ユニットと、
前記光源ユニットが着脱可能に収容される光源収容部が設けられた器具本体部と、
を有し、
前記光源取付板は、所定の軸方向へ傾斜する傾斜面部が設けられ、前記傾斜面部に取り付けられた前記光源毎に照射方向を設定した状態で、前記光源固定部材に取り付けられることを特徴とする照明器具。
【請求項５】
前記光源取付板は、前記光源固定部材上で、それぞれ別個に３６０度任意の角度で、前記光源固定部材に取り付けられることを特徴とする請求項４に記載の照明器具。
【請求項６】
前記器具本体部は、ポールに取付可能なポール取付部が設けられていることを特徴とする請求項１〜５の何れかに記載の照明器具。
【発明の詳細な説明】
【技術分野】
【０００１】
本発明は、街路灯や道路灯として用いられる照明器具に関する。
【背景技術】
【０００２】
従来から、街路灯や道路灯は、ポールの上方へ照明器具が取付けられており、道路を照らしている。道路灯に用いられる照明器具は、その設置される場所によって、要求される配光特性として、例えば照射エリアや照射対象の照度が詳細に規定されている。
【０００３】
例えば、特許文献１に開示された照明器具は、「く」字状に折り曲げられた取付部材に、発光ダイオードが取り付けられている。発光ダイオードが取り付けられた取付部材は、光を照射したい方向に合わせた角度に形成され、照明器具本体に取り付けられている。
【先行技術文献】
【特許文献】
【０００４】
【特許文献１】特開２００７−２６５６４６号公報
【発明の概要】
【発明が解決しようとする課題】
【０００５】
しかしながら、特許文献１に開示された照明器具は、発光ダイオードが取り付けられた取付部材を所定の一軸方向へ傾斜させる構成ではあるが、街路灯や道路灯として要求される様々な配光特性を実現するには不十分であった。また、配光特性の自由度を高めるため、発光ダイオードが取り付けられた取付部材の傾斜角度を変化させると、各取付部材の出斜光が隣接する取付部材に遮られないよう、取付部材毎の干渉を回避する必要があり、配光特性の設定には制限があった。上述したように取付部材毎の干渉を回避するため、取付部材の配置が限定されてしまうことから、照明器具の外形デザインの自由度も制限されていた。さらに、当該取付部材の熱抵抗により発光ダイオードの発熱を高めてしまうという不具合もあった。
【０００６】
本発明は、上記課題に鑑みて、街路灯や道路灯として要求される様々な配光特性を実現することができる照明器具を提供することにある。
【課題を解決するための手段】
【０００７】
上記課題を解決するためになされた本発明の照明器具は、光源と、前記光源が取付けられる光源取付板と、前記光源取付板が取り付けられる光源固定部材とを備えた光源ユニットと、前記光源ユニットが着脱可能に収容される光源収容部が設けられた器具本体部と、を有し、前記光源取付板は所定の軸方向へ傾斜する傾斜面部が設けられ、また前記光源固定部材は前記所定の軸方向と異なる軸方向へ傾斜する取付面部が設けられる。
この構成により、街路灯や道路灯として要求される様々な配光特性を実現することができる。
【０００８】
また、本発明の照明器具は、前記光源固定部材が、異なる段差寸法で形成された段差部を有することを特徴とする。
この構成により、簡易な構成でありながら、街路灯や道路灯として要求される様々な配光特性を実現することができる。
【０００９】
また、本発明の照明器具は、前記光源取付板が、異なる傾斜角度で形成された、少なくも２以上の前記傾斜面部を有することを特徴とする。
この構成により、簡易な構成でありながら、街路灯や道路灯として要求される様々な配光特性を実現することができる。
【００１０】
また、本発明の照明器具は、光源と、前記光源が取付けられる光源取付板と、前記光源取付板が取り付けられる光源固定部材とを備えた光源ユニットと、前記光源ユニットが着脱可能に収容される光源収容部が設けられた器具本体部と、を有し、前記光源取付板が、所定の軸方向へ傾斜する傾斜面部が設けられ、前記傾斜面部に取り付けられた前記光源毎に照射方向を設定した状態で、前記光源固定部材に取り付けられることを特徴とする。
この構成により、より精密な配光特性を実現し、また要求される照度を効率高く実現することができる。
【００１１】
また、本発明の照明器具は、前記光源取付板は、前記光源固定部材上で、それぞれ別個に３６０度任意の角度で、前記光源固定部材に取り付けられることを特徴とする。
この構成により、より精密な配光特性を実現し、また要求される照度を効率高く実現することができる。
【００１２】
また、本発明の照明器具は、前記器具本体部は、ポールに取付可能なポール取付部が設けられていることを特徴とする。
この構成により、簡易な構成でありながら、街路灯や道路灯として要求される様々な配光特性を実現することができる。
【発明の効果】
【００１３】
本発明の照明器具は、簡易な構成でありながら、街路灯や道路灯として要求される様々な配光特性を実現することができる。
【図面の簡単な説明】
【００１４】
【図１】本発明に係る実施形態の照明器具を下から見た全体斜視図である。
【図２】本発明に係る実施形態の照明器具を上から見た全体斜視図である。
【図３】本発明に係る実施形態の照明器具の断面図である。
【図４】本発明に係る実施形態の照明器具から光源固定部材を取り外した状態を示す全体斜視図である。
【図５】本発明に係る実施形態の照明器具から光源固定部材を取り外した状態を示す断面図である。
【図６】（ａ）は本発明に係る実施形態の光源ユニットを下から見た斜視図であり、（ｂ）は本発明に係る実施形態の光源ユニットを上から見た斜視図である。
【図７】本発明に係る実施形態の光源ユニットの側面図である。
【図８】（ａ）〜（ｃ）は、本発明に係る実施形態の光源ユニットの実施例１を示す説明断面図である。
【図９】（ａ）〜（ｃ）は、本発明に係る実施形態の光源ユニットの実施例２を示す説明断面図である。
【図１０】本発明に係る実施形態の照明器具の変形例を下から見た全体斜視図である。
【図１１】本発明に係る実施形態の照明器具の変形例の断面図である。
【図１２】（ａ）は本発明に係る実施形態の光源ユニットの変形例を下から見た斜視図であり、（ｂ）は本発明に係る実施形態の光源ユニットの変形例の平面図である。
【発明を実施するための最良の形態】
【００１５】
以下、本発明に係る実施形態の照明器具を図１〜３に基づいて説明する。図１は、本発明に係る実施形態の照明器具を下から見た全体斜視図である。また、図２は、本発明に係る実施形態の照明器具を上から見た全体斜視図である。さらに、図３は、本発明に係る実施形態の照明器具の断面図である。
【００１６】
照明器具１００は、交差点や道路脇に設けられたポール１の上方に取り付けられる照明器具であって、例えば街路灯や道路灯に用いられる照明器具である。
【００１７】
照明器具１００は、光源ユニット４０が着脱可能に収容される光源収容部１２と、ポール１に取付けられるポール取付部１３とが設けられた器具本体部１０と、器具本体部１０に対し、ヒンジ部２１により開閉可能に連結された蓋体部２０とを有する。なお、図４、５に示されるように、光源ユニット４０は、光源収容部１２から取り外すことが可能である。なお、ポール１は、その内部に照明器具１００の光源ユニット４０の点灯を制御するドライバユニット（図示しない）が収容されている。当該ドライバユニットは、光源ユニット４０と電源ケーブル（図示しない）により電気的に接続される。また、当該ドライバユニットは、電源部（図示しない）に接続された電源ケーブル（図示しない）に接続され、当該電源部から電力が供給されている。
【００１８】
器具本体部１０は、光源収容部１２とポール取付部１３とを仕切る隔壁１５が設けられている。隔壁１５には、防水構造の配線用端子部１６が設けられており、配線用端子部１６を介して、光源収容部１２とポール取付部１３とが電気的に配線されている。具体的には、配線用端子部１６は、その一端部が光源収容部１２側の領域に配置され、他端部がポール取付部１３側の領域に配置されている。さらに、配線用端子部１６は、一端部、及び他端部のそれぞれに接続端子が設けられ、両接続端子は電気的に接続されている。
【００１９】
光源収容部１２は、その内部に、光源ユニット４０を収容可能な空間が形成されている。光源収容部１２は、図３に示すようなネジ等の締結具により、光源ユニット４０を着脱可能である。また、光源収容部１２の下面側に、光源ユニット４０から照射された光を透光する透明な透光板１４（図３、５を参照）が嵌め込まれた投光開口部１２ａが形成されている。光源ユニット４０から照射された光は、透光板１４を透過して、路面を照射する。なお、透光板１４は、強化樹脂や強化ガラスから形成されており、透光開口部１２ａに嵌め込まれた構造から光源収容部１２内部への雨水の浸入や異物の混入を防止すると共に、照明器具１００の点検、保全作業を行う作業者が、各作業中に、直接光源１１に触れて負傷することを回避することができる。
【００２０】
光源ユニット４０は、図６（ａ）、（ｂ）、及び図７に示すように、光源４１と、光源４１が取付けられる光源取付板４２と、光源取付板４２が取り付けられる光源固定部材４３とを備える。また、光源取付板４２は所定の軸方向へ傾斜する傾斜面部４２ｂが設けられる。さらに、光源固定部材４３は当該所定の軸方向と異なる軸方向へ傾斜する取付面部４３ａが設けられる
【００２１】
本実施形態では、光源ユニット４０は、例えばＬＥＤユニットである。また、所定の軸方向とは、器具本体部１０の短手方向（図１中の矢印Ｘ方向）をとし、所定の軸方向と異なる軸方向とは、器具本体部１０の長手方向（図１中の矢印Ｙ方向）とする。
【００２２】
光源４１は、例えば、複数のＬＥＤ４１ａとＬＥＤ４１ａが載置されたＬＥＤ基板４１ｂとからなるＬＥＤモジュールである。ここで、ＬＥＤ４１ａは、ＬＥＤ素子が光学レンズに覆われている。ＬＥＤ４１ａから照射される光は、光学レンズの選択により指向性を変更することができるが、遠方まで照らそうとすると指向性を高くする必要があり、要求される様々な配光特性を実現するにはＬＥＤ４１ａの照射方向を適宜設定することが必要である。なお、ＬＥＤ基板４１ｂは、配線により、電気的接続されているが、図面上省略する。
【００２３】
光源取付板４２は、例えば長方形の板状部材であって、光源固定部材４３に固定される固定面部４２ａと、固定面部４２ａに対し、器具本体部１０の短手方向へ所定の角度で傾斜する傾斜面部４２ｂとを有する。傾斜面部４２ｂは、例えば複数の光源４１が一列に並んで取り付けられる寸法で形成されている。傾斜面部４２ｂの傾斜角度は、要求される様々な配光特性に合わせて、形成される。
【００２４】
また、光源取付板４２は、複数の傾斜面部４２ｂを有する構成としてもよい。また、固定面部４２ａに対する傾斜面部４２ｂの傾斜角度は、同じ角度としても、又はそれぞれ異なる角度としてもよい。その具体例として、光源取付板４２の実施例１、２を以下、説明する。
【００２５】
先ず、光源取付板４２の実施例１は、図８（ａ）〜（ｃ）に示されたように、ＬＥＤ４１ａの照射方向（図８（ａ）〜（ｃ）に示す矢印方向）が、各断面図の中心部に向けて集中するよう、傾斜面部４２ｂが傾斜しており、各断面図の中心部を中心にして左右対称の照度を得ることができる。ここで、図８（ａ）は図３に示したＡ−Ａ線断面図であり、図８（ｂ）はＢ−Ｂ線断面図であり、図８（ｃ）は図３に示したＣ−Ｃ線断面図である。
【００２６】
具体的には、固定面部４２ａに対する傾斜面部４２ｂの傾斜角度は、内側から外側にかけて大きくなるよう形成される。また、固定面部４２ａに対する傾斜面部４２ｂの傾斜角度は、光源ユニット４０の光源収容部１２内で取り付けられた位置によって、それぞれ異なった角度に形成することができる。このように、傾斜面部４２ｂの傾斜角度を設ける事により、ＬＥＤ４１ａの照射方向を各断面図の中心部に向かう度合いを調整することにより、狭い配光角から広い配光角まで設定することができる。
【００２７】
次に、光源取付板４２の実施例２は、図９（ａ）〜（ｃ）に示されたように、ＬＥＤ４１ａの照射方向（図９（ａ）〜（ｃ）に示す矢印方向）が、所定の方向に集中するよう、傾斜面部４２ｂが傾斜しており、例えば、図９（ａ）〜（ｃ）の紙面に向かって左方向の照度が高くなる。ここで、図９（ａ）は図８（ａ）に相当するＡ−Ａ線断面図であり、図９（ｂ）は図８（ｂ）に相当するＢ−Ｂ線断面図であり、図９（ｃ）は図８（ｃ）に相当するＣ−Ｃ線断面図である。
【００２８】
具体的には、固定面部４２ａに対する傾斜面部４２ｂの傾斜角度は、左側から右側にかけて大きくなるよう形成されている。また、固定面部４２ａに対する傾斜面部４２ｂの傾斜角度は、光源ユニット４０の光源収容部１２内で取り付けられた位置によって、それぞれ異なった角度とすることができる。このように、傾斜面部４２ｂの傾斜角度を設ける事により、ＬＥＤ４１ａの照射方向を所定の方向、実施例２では、紙面に向かって左手方向に集中させることによって、左手方向の照度を高くすることができる。
【００２９】
上述した実施例１、２は、光源取付板４２の一例であり、要求されている様々な配光特性に合わせて、傾斜面部４２ｂの傾斜角度を適宜変更可能である。
【００３０】
なお、光源取付板４２は、熱伝導性が高い素材から形成される。光源取付板４２は、光源４１から生じる熱を外部へ放出することができ、光源４１から生じた熱によるＬＥＤの温度上昇を抑えてＬＥＤの寿命低下を低減することができる。
【００３１】
光源固定部材４３は、図６（ａ）、（ｂ）、及び図７に示す通り、光源取付板４２が取り付けられる取付面部４３ａと、ネジ等の締結具により光源収容部１２に固定される固定部４４とを有する。
【００３２】
また、光源固定部材４３は、階段状となるように、異なる段差寸法で形成された段差部４５ａ、４５ｂ、及び４５ｃを有する。段差部４５ａ、４５ｂ、及び４５ｃの段差寸法は、要求される配光特性によって、適宜変更可能である。また、器具本体部１０の長手方向に対する段差部４５ａ、４５ｂ、及び４５ｃの傾斜角度は、段差部毎に適宜変更可能であり、要求される配光特性に応じて形成される。
【００３３】
なお、光源ユニット４０は、配線ケーブル（図示しない）により、配線用端子部１６の接続端子と電気的に接続されている。また、ポール１の内部に収容されたドライバユニットが、配線ケーブル（図示しない）により、配線用端子部１６の接続端子と電気的に接続されている。すなわち、光源ユニット４０とポール１の内部に収容されたドライバユニットとは、配線用端子部１６を介し、電気的に接続される。
【００３４】
ポール取付部１３は、ポール１の上方に取付可能なクランプであって、その内径寸法が、ポール１の外形寸法より僅かに大きい寸法で形成された、中空筒状に形成される。具体的には、ポール１の上端がポール取付部１３内に挿通され、ボルト等の締結具により締結されることによって、照明器具１００をポール１に固定することができる。
【００３５】
蓋体部２０は、ポール取付部１３の上方を覆う位置に配置され、器具本体部１０に対し、ヒンジ部２１により開閉可能に連結されている。
【００３６】
また、蓋体部２０は、図３に示すように、器具本体部１０の上面部１０ａに配置されたヒンジ部２１により器具本体部１０の後端部１０ｂを開閉可能に連結された構成としてもよい。ヒンジ部２１が器具本体部１０の上面部１０ａに配置され、器具本体部１０の後端部１０ｂを開閉する構成とすることにより、ポール取付部１３が器具本体部１０の下面側に設けられた構成だけでなく、器具本体部１０の後端部１０ｂに設けられた構成であっても、ポールへの取付作業が容易である。
【００３７】
本発明の照明器具１００は、器具本体部１００の短手方向、及び長手方向へそれぞれ傾斜させることができるため、要求される様々な配光特性に合わせた、光源ユニット４０に交換することにより、要求される様々な配光特性を実現することができる。
【００３８】
また、本発明の照明器具１００は、器具本体部１０を設計変更することなく、器具本体部１０の光源収容部１２内に、要求される様々な配光特性に合わせた光源ユニット４０を固定することにより、要求される様々な配光特性を実現した照明器具１００を製造できるため、照明器具１００の製造コストを低減することができる。
【００３９】
〔実施形態の変形例等〕
本明細書開示の発明は、各発明や実施形態の構成の他に、適用可能な範囲で、これらの部分的な構成を本明細書開示の他の構成に変更して特定したもの、或いはこれらの構成に本明細書開示の他の構成を付加して特定したもの、或いはこれらの部分的な構成を部分的な作用効果が得られる限度で削除して特定した上位概念化したものを含み、下記の変形例等も包含する。
【００４０】
本発明の変形例である照明器具１０１は、本実施形態の照明器具１００の光源ユニット４０に代えて、図１０、１１に示すような光源ユニット１４０としてもよい。なお、上述した照明器具１０と共通する構成については、同一符号を付与し、説明を省略する。
【００４１】
光源ユニット１４０は、要求される様々な配当特性に合わせて、ＬＥＤ１４１ａ毎に、照射方向を特定することができる。具体的には、光源ユニット１４０は、図１２（ａ）、（ｂ）に示すように、ＬＥＤ１４１ａと、ＬＥＤ１４１ａが取り付けられ、所定の角度に傾斜する傾斜面部１４２ｂを有する光源取付板１４２と、光源収容部１２に固定される光源固定部材１４３とを備える。また、光源取付板１４２の固定面部１４２ａは、ビス等の締結具により光源固定部材１４２に取り付けられる。
【００４２】
ＬＥＤ１４１ａが取り付けられた光源取付板１４２は、所定の軸方向へ傾斜する傾斜面部１４２ｂに取り付けられたＬＥＤ１４１ａ毎に照射方向を設定した状態で、光源固定部材１４３に固定される。具体的には、光源取付板１４２は、ＬＥＤ１４１ａ毎に、光源固定部材１４３上で、それぞれ別個に３６０度任意の角度に設定することができる。光源取付板１４２は、ＬＥＤ１４１ａの照射方向をより精密に設定できるため、より精密な配光特性を実現し、また要求される照度を効率高く実現することができる。
【符号の説明】
【００４３】
１…ポール
１０…器具本体部
１２…光源収容部
１２ａ…投光開口部
１３…ポール取付部
１４…透光板
１５…隔壁
１６…配線用端子部
２０…蓋体部
２１…ヒンジ部
４０、１４０…光源ユニット
４１ａ、１４１ａ…ＬＥＤ
４２ｂ…ＬＥＤ基板
４２、１４２…光源取付板
４２ａ、１４２ａ…固定面部
４２ｂ、１４２ｂ…傾斜面部
４３、１４３…光源固定部材
４３ａ…取付面部
４４…固定部
４５ａ、４５ｂ、４５ｃ…段差部
１００、１０１…照明器具
【図１】
2019067496.tif 000003
【図２】
2019067496.tif 000004
【図３】
2019067496.tif 000005
【図４】
2019067496.tif 000006
【図５】
2019067496.tif 000007
【図６】
2019067496.tif 000008
【図７】
2019067496.tif 000009
【図８】
2019067496.tif 000010
【図９】
2019067496.tif 000011
【図１０】
2019067496.tif 000012
【図１１】
2019067496.tif 000013
【図１２】
2019067496.tif 000014